(57)【特許請求の範囲】
【請求項１】
撮像部と、
フォルダに格納された画像の少なくとも１つの画像とを表示する表示部と、
方向を指示することによって、上記フォルダの切替を指示する入力部と、
シャッター操作に応じて撮像画像を記録媒体に記録する記録処理部と、
上記入力部による方向の指定を受け付けて上記撮像画像が格納される上記フォルダを切り替える制御部とを備え、
上記制御部の制御によって、
上記撮像画像と共に、第１のフォルダに既に格納されている第１の画像が表示される第１の状態において、シャッターが押されると、上記撮像画像が上記第１のフォルダに格納され、
上記入力部による方向の指定によって、上記撮像画像と共に、上記第１のフォルダ以外の上記第２のフォルダに既に格納されている第２の画像が表示される第２の状態に表示状態が切り替えられ、上記第２の状態においてシャッターが押されると、上記撮像画像が上記第２のフォルダに格納される撮像装置。
【請求項２】
上記表示部に上記撮像画像が格納されるフォルダを識別するためのフォルダ表示が表示される請求項１記載の撮像装置。
【請求項３】
上記第１および第２の画像と、上記撮像画像とが時間軸と対応して順に配列されて表示される請求項１記載の撮像装置。
【請求項４】
上記第１の表示状態から上記第２の表示状態に遷移する間で、上記第１の表示状態および上記第２の表示状態とが同時に存在する表示遷移状態が上記表示部に表示される請求項１記載の撮像装置。
【請求項５】
上記入力部が上下方向および左右方向の何れか一方をフォルダ切替の方向として設定する請求項１記載の撮像装置。
【発明の詳細な説明】
【技術分野】
【０００１】
この発明は、例えばディジタルスチルカメラに適用可能な撮像装置に関する。
【背景技術】
【０００２】
ディジタルスチルカメラや関連機器で使用される画像ファイルのフォーマットは、ＤＣＦ(Design rule for Camera File)と呼ばれる仕様で規定されている。共通のフォーマッ
トとすることによって、画像ファイルをディジタルスチルカメラ間で簡単に交換することができる。
【０００３】
この仕様では、ルートディレクトリ直下のディレクトリＤＣＩＭがＤＣＦイメージルートディレクトリと呼ばれる。ＤＣＩＭ直下にＤＣＦオブジェクトを格納するための複数のディレクトリをＤＣＦディレクトリという。ＤＣＦディレクトリがＤＣＦのディレクトリに関する規定にしたがって作成された画像格納用のディレクトリであり、以下では、フォルダと称する。また、ＤＣＦオブジェクトがＤＣＦの規定にしたがって作成されたファイル群であり、以下では、画像ファイルと称する。
【０００４】
例えば下記特許文献１には、ディジタルスチルカメラに備えられたメモリに対して、撮影画像をフォルダ、サブフォルダ、分類フォルダのディレクトリ構造で格納することが記載されている。電源投入時にフォルダが指定される。ユーザがフォルダ切り替えリングを操作してフォルダ切り替え指示入力によってフォルダが切り替えられる。フォルダ設定によって、撮影画像を所望のフォルダに格納することが可能とされている。
【先行技術文献】
【特許文献】
【０００５】
【特許文献１】特開２００３−３１９２９６号公報
【発明の概要】
【発明が解決しようとする課題】
【０００６】
フォルダに分けて画像ファイルを格納することは、後の画像検索等を容易とする点で便利である。上述した特許文献１では、機械的な回転リングでフォルダを指定している。この場合では、設定されたフォルダを確認するのが容易ではなく、フォルダの切り替えの操作性が良いとは言えない問題があった。
【０００７】
また、表示装置にフォルダの切り替えの設定用の画面を表示することが考えられる。その場合には、メニューの立ち上げ、フォルダの選択操作等を行う必要があり、操作ステップ数が多くなり、簡単に設定できない問題が生じる。これらの理由から従来のディジタルスチルカメラでは、フォルダ設定の使用頻度が低かった。
【０００８】
したがって、この発明の目的は、フォルダ切り替えを簡単に行うことが可能な撮像装置を提供することにある。
【課題を解決するための手段】
【０００９】
上述した課題を解決するために、この発明は、撮像部と、
フォルダに格納された画像の少なくとも１つの画像とを表示する表示部と、
方向を指示することによって、フォルダの切替を指示する入力部と、
シャッター操作に応じて撮像画像を記録媒体に記録する記録処理部と、
入力部による方向の指定を受け付けて撮像画像が格納されるフォルダを切り替える制御部とを備え、
制御部の制御によって、
撮像画像と共に、第１のフォルダに既に格納されている第１の画像が表示される第１の状態において、シャッターが押されると、撮像画像が第１のフォルダに格納され、
入力部による方向の指定によって、撮像画像と共に、第１のフォルダ以外の第２のフォルダに既に格納されている第２の画像が表示される第２の状態に表示状態が切り替えられ、第２の状態においてシャッターが押されると、撮像画像が第２のフォルダに格納される撮像装置である。
【００１０】
この発明において、制御部は、
撮像画像と共に、第１のフォルダに関する第１の画像が表示される第１の状態において、入力部による方向の指定を受付けると、撮像画像と共に、第２の画像フォルダに関する第２の画像が表示される第２の状態に表示状態を切り替え、
第１の状態においてシャッターが押された場合は、撮像画像を第１のフォルダに格納し、第２の状態においてシャッターが押された場合は、撮像画像を第２のフォルダに格納するように制御する。
【発明の効果】
【００１１】
この発明によれば、撮影時および再生時を問わず、方向キーを使用してフォルダの切り替えをなしうる。また、方向キーの上下および左右の一方の操作でフォルダを切り替え、その他方で画像ファイル切り替えを行うことによって、フィルム切り替えおよびフィルム送りの操作と同様にフォルダの切り替えおよび画像ファイルの切り替えを実現できる。フォルダの切り替えをダイレクトに行うことができ、操作の簡単化を図ることができる。
【図面の簡単な説明】
【００１２】
【図１】この発明による撮像装置の一実施形態の構成を示すブロック図である。
【図２】この発明の一実施形態におけるフォルダを示すアイコンを説明するための略線図である。
【図３】この発明の一実施形態におけるフォルダおよび画像ファイルの配列を説明するための略線図である。
【図４】ワイドＬＣＤを使用した場合で、撮影モードにおけるフォルダ切り替え時の表示画面の遷移を順に示す略線図である。
【図５】ワイドＬＣＤを使用した場合で、撮影モードにおけるフォルダ切り替え時の動作の流れを示すフローチャートである。
【図６】ワイドＬＣＤを使用した場合で、再生モードにおけるフォルダ切り替え時の表示画面の遷移を順に示す略線図である。
【図７】ワイドＬＣＤを使用した場合で、再生モードにおけるフォルダ切り替え時の動作の流れを示すフローチャートである。
【図８】アスペクト比が（４：３）のＬＣＤを使用した場合で、撮影モードにおけるフォルダ切り替え時の表示画面の遷移を順に示す略線図である。
【図９】アスペクト比が（４：３）のＬＣＤを使用した場合で、再生モードにおけるフォルダ切り替え時の表示画面の遷移を順に示す略線図である。
【図１０】フォルダ毎の再生モードから全フォルダ内の全画像ファイルの再生モードへの切り替え時の表示画面の遷移を順に示す略線図である。
【図１１】再生モードにおける再生メニューの表示と再生メニューの実行を行う場合の表示画面の遷移を順に示す略線図である。
【発明を実施するための形態】
【００１３】
以下、この発明の一実施形態について図面を参照しながら説明する。図１は、この発明の一実施形態によるディジタルカメラの構成の一例を示す。図１において、破線で囲んで示す部分は、ＣＰＵ(Central Processing Unit) １によって制御される処理部を示す。
【００１４】
処理部１は、ＲＡＭ等の内部記録媒体３、画像処理部４、外部インターフェース５、ＲＧＢ処理部６、信号処理部７およびビデオ出力処理部８によって構成されている。ＣＰＵ２に対して操作部９が接続され、操作部９に設けられシャッター等の操作に応じた信号がＣＰＵ２に供給される。
【００１５】
さらに、メディア処理部１０を介して外部記録媒体１１に対して撮像信号をＪＰＥＧ（Joint Photographic Experts Group)等で圧縮したデータを記録するようになされている
。外部記録媒体１１は、書き込み可能な光ディスク、メモリカード等である。
【００１６】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１７】
内部記録媒体３からの撮像信号が信号処理部７を通ってＲＧＢ処理部６に供給され、ＲＧＢ処理部６で形成された表示信号が表示装置としてのＬＣＤ（Liquid Crystal Display)１３に供給される。ＬＣＤ１３は、例えばカメラ本体の背面に設けられたものである。
ＬＣＤ１３には、撮像信号のみならず、外部記録媒体１１からメディア処理部１０を介して取り込まれた画像信号も表示される。
【００１８】
操作部９のシャッターが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００１９】
撮影画像が常に更新されてＬＣＤ１３に表示される。撮影画像に対して、記録済の画像データの縮小画像、アイコン等のＯＳＤデータが信号処理部７で重ね合わされて、ＬＣＤ１３に表示される。ＯＳＤ(On Screen Display)とは、カメラから取り込んだリアルタイ
ムの画像に重ねて表示するアイコン等のデータを準備するためのメモリ領域や、仕組みを総称する用語である。
【００２０】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在する時には、外部記録媒体１１からデータを取得する必要がない。画像処理部４は、操作部９におけるユーザのキー等の操作に応答して、表示する画像の拡大または縮小の処理を行うように、ＣＰＵ２によって制御される。
【００２１】
ビデオ出力処理部８から図示しない映像出力端子には、アナログのカラービデオ信号が取り出される。映像出力端子に対して外部モニタ１４を接続した場合には、内部記録媒体３または外部記録媒体１１に蓄積されている画像を外部モニタ１４によって表示することができる。さらに、外部インターフェース５には、例えばプリンタ１５が接続され、画像を印刷することが可能とされている。
【００２２】
操作部９には、十字キーが含まれている。十字キーは、十字形の操作部の各先端部（左ボタン、右ボタン、上ボタン、下ボタンと称する）を押すことによってカーソルの移動方向を上下左右の何れかの方向に指定するものである。なお、方向キーとしては、十字キー以外に、ダイヤル、ローラ、トラックボール、タッチパネル等の入力装置を使用することができる。また、機械的な構成に限らず、表示画面のボタン等を操作するＧＵＩ(Graphical User Interface)を使用しても良い。
【００２３】
図２は、一実施形態において、ＬＣＤ１３の画面にフォルダ情報を表示するためのアイコンを示す。図２Ａに示す例は、フォルダをイメージさせるアイコンである。図２Ａのアイコンは、コンピュータに慣れたユーザには理解しやすいが、銀塩カメラに慣れ親しんだユーザの概念モデルに合っているとは言えない。そこで、この発明の一実施形態では、図２Ｂに示すように、フィルムを連想させるアイコンを使用する。フィルム状のアイコン内には、フォルダ毎に付されている番号が表示される。
【００２４】
図３は、内部記録媒体３または外部記録媒体１１に対する撮影済の画像の格納の態様に関するユーザの概念モデルの一例を示している。ユーザは、図３に示すように、撮影済画像ファイルが格納していることを認識している。フォルダＦ１には、横方向に複数例えば５枚の画像ファイルＰ１１，Ｐ１２，Ｐ１３，Ｐ１４，Ｐ１５が格納されている。画像ファイルは、撮影日時の付加的データを有しており、撮影日時の古いものから新しいものに時間軸の順に１軸上に並べられている。図３に向かって右方向が過去から現在への時間軸方向であり、左方向が現在から過去への時間軸方向である。１軸上の配列された画像は、ＬＣＤ１３の表示画面において、横方向に配置される。
【００２５】
フォルダＦ１の下側に、４枚の画像ファイルＰ２１，・・・、Ｐ２４が格納されたフォルダＦ２が配置される。以下、順に縦方向にフォルダＦ３，Ｆ４，Ｆ５が配置される。フォルダＦ３には、５枚の画像ファイルＰ３１，・・・，Ｐ３５が格納され、フォルダＦ４には、４枚の画像ファイルＰ４１，・・・，Ｐ４４が格納され、フォルダＦ５には、３枚の画像ファイルＰ５１，・・・，Ｐ５３が格納される。
【００２６】
フォルダＦ１〜Ｆ５は、ユーザにとって格納する画像ファイルの上位の分類である。例えばフォルダＦ１が建物の画像ファイル格納用であり、フォルダＦ２が乗り物の画像ファイル格納用であり、フォルダＦ３が花の画像ファイル格納用であり、フォルダＦ４がディジタル機器の画像ファイル格納用であり、フォルダＦ５が景色の画像ファイル格納用である。
【００２７】
図４を参照して撮影時にフィルムの概念に対応しているフォルダを切り替える処理について説明する。図４に示すように、ディジタルカメラの背面にアスペクト比（１６：９）等のワイド形の表示枠ＳＣを有するＬＣＤ１３が設けられている。参照符号２４がシャッターボタンであり、参照符号２５がメニューボタンであり、参照符号２６が削除ボタンであり、参照符号２７が十字キーである。
【００２８】
図４の上段の表示画面ＳＴ１では、フォルダＦ１を示すアイコンが表示され、フォルダＦ１が選択されていることが表示される。電源オン時等の初期状態で選択されるフォルダが例えばＦ１に予め設定されている。最後に選択されていたフォルダを初期状態に選択されるフォルダに設定しても良い。例えばフォルダＦ１に画像Ｐ１１，Ｐ１２までの画像ファイルが撮影済の再生画像として格納されている。表示枠ＳＣには、レンズを通して捉えられた現在の被写体の撮影画像Ｒと画像ファイルＰ１１，Ｐ１２とフォルダＦ１のアイコンとが同時に表示されている。撮影画像Ｒと画像ファイルＰ１１，Ｐ１２との識別を容易とするために、撮影画像Ｒを画像ファイルＰ１１，Ｐ１２に比してより大きなサイズとしたり、画像に異なる形状のアイコンを付加するようにしても良い。
【００２９】
表示用のデータは、内部記録媒体３に保持されている。撮影画像Ｒは、内部記録媒体３に保持され、撮影モード中では、操作部９の操作がなされない状態でも、フレーム等の周期でもって更新され続ける。内部記録媒体３には、撮影データＲとは別にＯＳＤデータが記憶されている。ＯＳＤデータは、撮影データＲに重ね表示するアイコンのデータである。アイコン以外に複数の画像ファイル例えばＰ１１，Ｐ１２が表示枠内に配置される。画像ファイルＰ１１，Ｐ１２は、外部記録媒体１１から取り込まれ、画像処理部４によって復号並びにサイズの縮小がなされて後、内部記録媒体３に格納される。内部記録媒体３に直前に撮影した画像のＯＳＤ表示に適したサイズの画像があれば、外部記録媒体１１からデータを取得する必要がない。
【００３０】
この撮影画像Ｒと画像ファイルＰ１１，Ｐ１２とフォルダＦ１を示すアイコンとが同時に表示されている表示画面ＳＴ１は、撮影モードと再生モードの混在状態である。すなわち、シャッターボタン２４を押すことによって新たな画像を記録することができると共に、所望の画像を画像ファイルとして表示することができる。したがって、ユーザは、直前に撮影された画像を見ながら、新たに撮影する画像の構図等を決定することができる。
【００３１】
図４の例では、撮影画像Ｒが自動車であるので、ユーザは、フォルダをＦ１からＦ２に切り替えるために、十字キー２７の下ボタンを押す。表示画面ＳＴ１において下ボタンを押すと、遷移表示画面ＳＴ２を経て表示画面ＳＴ３にアニメーションで遷移する。遷移表示画面ＳＴ２では、撮影画像Ｒが同一であるが、アイコン中の番号が変化し、記録済画像がフォルダＦ１からフォルダＦ２に切り替わる途中の状態が表示される。遷移表示画面ＳＴ２が表示される時間は、一瞬である。
【００３２】
表示画面ＳＴ３中のアイコンによって、フォルダがＦ１からＦ２に切り替わったことを確認した後に、ユーザがシャッターボタン２４を押すことで、撮影画像Ｒを捕捉し、フォルダＦ２に格納することができる。図示しないが、シャッターボタン２４を押すことによって、アニメーション遷移が発生する。すなわち、表示枠ＳＣに撮影済の画像の画像ファイルＰ２２およびＰ２３（自動車の画像）と、新たな撮影画像Ｒとが同時に表示される状態に遷移する。
【００３３】
図５は、上述した動作の流れを示すフローチャートである。ステップＳ１は、フォルダＦ１の撮影モードであり、図４中の表示画面ＳＴ１が表示されている。ステップＳ２において、十字キー２７の下キーを押し下げることによって、現在のフォルダＦ１の下から次のフォルダＦ２が出現する遷移表示画面ＳＴ２のように、画面遷移アニメーションが表示される（ステップＳ３）。
【００３４】
ステップＳ４において、現在のフォルダＦ２を示すアイコンが表示される。ステップＳ５において、図４中の表示画面ＳＴ３が表示される、フォルダＦ２の撮影モードに遷移する。
【００３５】
さらに、十字キー２７の下キーを押すと、フォルダＦ２からフォルダＦ３への切り替えがなされる。十字キー２７の上キーを押した場合には、フォルダＦ２からフォルダＦ１への切り替えがなされる。
【００３６】
図６を参照して十字キー２７を使用して再生モードにおけるフォルダの切り替え動作について説明する。図６の上段の表示画面ＳＴ１１では、フォルダＦ１を示すアイコンが表示され、フォルダＦ１が選択されていることが表示される。電源オン時等の初期状態で選択されるフォルダが例えばＦ１に予め設定されている。最後に選択されていたフォルダを初期状態に選択されるフォルダに設定しても良い。例えばフォルダＦ１に画像Ｐ１１，Ｐ１２，Ｐ１３までの画像ファイルが撮影済の再生画像として格納されている。
【００３７】
上述したように、表示用のデータは、内部記録媒体３に保持されている。ユーザがフォルダをＦ１からＦ２に切り替えるために、表示画面ＳＴ１１において十字キー２７の下ボタンを押すと、遷移表示画面ＳＴ１２を経て表示画面ＳＴ１３にアニメーションで遷移する。遷移表示画面ＳＴ１２では、記録済画像がフォルダＦ１からフォルダＦ２に切り替わる途中の状態が表示される。遷移表示画面ＳＴ１２が表示される時間は、一瞬である。表示画面ＳＴ１３では、フォルダＦ２のアイコンとフォルダＦ２の画像ファイルＰ２１，Ｐ２２，Ｐ２３とが表示される。
【００３８】
図７は、上述した再生モードにおけるフォルダ切り替え動作の流れを示すフローチャートである。ステップＳ１１は、フォルダＦ１の再生モードであり、図６に示す表示画面ＳＴ１が表示されている。ステップＳ２において、十字キー２７の下キーを押し下げることによって、現在のフォルダＦ１の下から次のフォルダＦ２が出現する画面遷移アニメーション（遷移表示画面ＳＴ１２）が表示される（ステップＳ１３）。
【００３９】
ステップＳ１４において、現在のフォルダＦ２を示すアイコンが表示される。ステップＳ５において、表示画面ＳＴ１３のように、フォルダＦ２の再生モードに遷移する。
【００４０】
さらに、十字キー２７の下キーを押すと、フォルダＦ２からフォルダＦ３への切り替えがなされる。十字キー２７の上キーを押した場合には、フォルダＦ２からフォルダＦ１への切り替えがなされる。
【００４１】
撮影モードおよび再生モードが混在した状態、または再生モードにおいて、十字キー２７を操作して所望の画像ファイルを指定して拡大または縮小表示表示することが可能とされている。図示を省略しているが、画像ファイルを指定するカーソル等が表示され、十字キー２７によって、所望の画像ファイルの位置にカーソルを位置させる。その後、拡大または縮小ボタン（機械的ボタンまたはＧＵＩ上のボタン）を操作することによって、選択した画像ファイルを拡大または縮小することができる。
【００４２】
上述した説明では、アスペクト比（１６：９）等のワイド形の表示枠ＳＣを有するＬＣＤ１３を使用しているが、アスペクト比（４：３）の表示枠ＳＣを有するＬＣＤ１３を使用しても良い。図８は、（４：３）の表示枠ＳＣを有するＬＣＤ１３を使用した場合で、撮影モードにおける表示画面の遷移を示す。
【００４３】
図８の上段の表示画面ＳＴ２１では、フォルダＦ１のアイコンが表示され、フォルダＦ１が選択されていることが表示される。電源オン時等の初期状態で選択されるフォルダが例えばＦ１に予め設定されている。最後に選択されていたフォルダを初期状態に選択されるフォルダに設定しても良い。表示枠ＳＣには、レンズを通して捉えられた現在の被写体の撮影画像Ｒが表示されている。表示枠ＳＣのサイズの制約によって、撮影済の画像ファイルを同時に表示していない。但し、撮影画像Ｒのサイズをより小として、撮影済の画像ファイルを同時に表示することも可能である。
【００４４】
表示用のデータは、内部記録媒体３に保持されている。撮影画像Ｒは、内部記録媒体３に保持され、撮影モード中では、操作部９の操作がなされない状態でも、フレーム等の周期でもって更新され続ける。内部記録媒体３には、撮影データＲとは別にＯＳＤデータが記憶されている。ＯＳＤデータは、撮影データＲに重ね表示するアイコンのデータである。内部記録媒体３に直前に撮影した画像のＯＳＤ表示に適したサイズの画像があれば、外部記録媒体１１からデータを取得する必要がない。この撮影画像Ｒが表示されている表示画面ＳＴ２１は、撮影モードであり、シャッターボタン２４を押すことによって新たな画像を記録することができる。
【００４５】
ユーザは、現在のフォルダがＦ１であることを表示されているアイコンから分かる。ユーザが十字キー２７の下ボタンを押す。表示画面ＳＴ１において下ボタンを押すと、遷移表示画面ＳＴ２２を経て表示画面ＳＴ２３にアニメーションで遷移する。遷移表示画面ＳＴ２２では、撮影画像Ｒが同一であるが、アイコン内の番号がフォルダＦ１からフォルダＦ２に切り替わる。遷移表示画面ＳＴ２２が表示される時間は、一瞬である。
【００４６】
表示画面ＳＴ２３で示すように、アイコンの番号からフォルダがＦ１からＦ２に切り替わったことを確認した後に、ユーザがシャッターボタン２４を押すことで、撮影画像Ｒを捕捉することができる。
【００４７】
図９は、十字キー２７を使用して再生モードにおけるフォルダの切り替え動作を示す。図９の上段の表示画面ＳＴ３１では、フォルダＦ１が選択されており、フォルダＦ１に対応するアイコンが表示されている。電源オン時等の初期状態で選択されるフォルダが例えばＦ１に予め設定されている。最後に選択されていたフォルダを初期状態に選択されるフォルダに設定しても良い。例えばフォルダＦ１に画像Ｐ１１が撮影済の再生画像として格納されている。
【００４８】
上述したように、表示用のデータは、内部記録媒体３に保持されている。ユーザがフォルダをＦ１からＦ２に切り替えるために、十字キー２７の下ボタンを押すと、遷移表示画面ＳＴ３２を経て表示画面ＳＴ３３にアニメーションで遷移する。遷移表示画面ＳＴ３２では、記録済画像がフォルダＦ１からフォルダＦ２に切り替わる途中の状態が表示される。遷移表示画面ＳＴ３２が表示される時間は、一瞬である。表示画面ＳＴ３３では、フォルダＦ２のアイコンとフォルダＦ２の画像ファイルＰ２１が表示される。
【００４９】
上述した説明では、撮影済の画像ファイルを再生する場合に、フィルムと対応するフォルダ毎に再生するようにしている。さらに、フォルダ毎に画像ファイルを再生する状態から、全フォルダの画像ファイルを再生する状態に切り替えることを可能としても良い。
【００５０】
図１０において、表示枠ＳＣ内にフォルダＦ１，Ｆ２およびＦ３毎に画像ファイルが並べられて表示される。図１０は、例えば一つのリムーバブルな記録媒体（メモリカード等）に格納されている画像ファイルの集合を示している。一度に、全画像ファイルを表示するのに代えて、上述したように、各フォルダの画像ファイルを表示し、フォルダを切り替えるようにしても良い。この表示画面ＳＴ４１が表示画面ＳＴ４３へ遷移表示画面ＳＴ４２を経て全フォルダの表示画面ＳＴ４３に遷移する。
【００５１】
画像ファイルは、画像ファイル毎に付加されている撮影日時の付加的データに基づいて、各フォルダにおいて撮影日時の古いものから新しいものの順に並べられている。全フォルダの画像フォルダを表示する表示画面ＳＴ４３においても、時間軸上に全ての画像ファイルが並び替えられる。遷移表示画面ＳＴ４２は、時間軸上で順番を並び替える途中の状態を表示するものである。
【００５２】
そして、表示画面ＳＴ４３では、時間的に１軸上に全ての画像ファイルが配列された表示がなされる。表示枠ＳＣの範囲には、時間的に最新の画像ファイルＰ３５と、より古い画像ファイルで、表示可能な数の画像ファイルＰ３４，Ｐ３３，Ｐ２４，Ｐ３２が同時に表示される。十字キーの左（または右）キーを操作することによって、表示される画像ファイルを時間的に古い方向（または新しい方向）へ順に送ることができる。
【００５３】
図１１は、再生モードにおいて、メニューボタン２５を押した場合の表示画面の遷移の一例を示す。表示画面ＳＴ５１で示すように、例えばフォルダＦ１の画像ファイルＰ１３，Ｐ１４およびＰ１５がワイド形ＬＣＤの表示枠に表示されている。この状態で、メニューボタン２５が押されると、表示枠ＳＣ内に再生メニュー画面３１が表示された表示画面ＳＴ５２が表示される。
【００５４】
メニュー画面３１は、プロテクト３２ａ、ＤＰＯＦ３２ｂ、プリント３２ｃ、スライドショー３２ｄの４個のメニューの何れかを選択するための画面である。十字キー２７の左または右キーを押すことによって所望のメニューを選択できる。選択されたメニューは、フォーカスが合った状態、ハイライト表示等で示される。
【００５５】
プロテクト３２ａは、更新を禁止するメニューである。ＤＰＯＦ３２ｂは、印刷するものを指定するメニューである。プリント３２ｃは、ＵＳＢ(Universal Serial Bus)を介して接続されたプリンタに対して印刷指令を与えるためのメニューである。スライドショー３２ｄは、撮影画像を順番に再生するためのメニューである。これらのメニューに関して、画像ファイル単位のみならず、フォルダ単位での指定が可能とされている。
【００５６】
例えばメニュー表示３１において、ＤＰＯＦ３２ｂを選択し、決定ボタンを操作すると、表示画面ＳＴ５３が表示される。表示画面ＳＴ５３では、ファイル全体を指定するメニュー３３ａと画像ファイルを指定するメニュー３３ｂとからなる画面が表示される。十字キー２７の上または下キーと決定ボタンとを操作することによって、一方を選択する。画像ファイルを指定する場合、選択されている画像ファイルに対してカーソルＳＣが位置する。このように、フォルダ単位でＤＰＯＦを設定できるので、画像ファイル単位でしか設定できないディジタルカメラと比較して、設定操作が容易となる。
【００５７】
この発明は、上述したこの発明の一実施形態等に限定されるものでは無く、この発明の要旨を逸脱しない範囲内で様々な変形や応用が可能である。例えばこの発明では、左右の方向キーによってフォルダを切り替え、上下の方向キーによって画像ファイルを切り替えるようにしても良い。また、十字キー以外の方向を指示することが可能な入力装置を使用しても良い。さらに、この発明は、静止画像を記録するディジタルカメラに限定されるものではなく、動画を記録する撮影装置、並びに静止画および動画の両方を記録可能な撮影装置に対しても適用できる。動画の場合では、例えば１回の撮影の先頭の画像をＬＣＤ等に表示するようになされる。
【符号の説明】
【００５８】
１・・・処理部
２・・・ＣＰＵ
３・・・内部記録媒体
９・・・操作部
１１・・・外部記録媒体
１２・・・ＣＣＤ
１３・・・ＬＣＤ
２７・・・十字キー
【図１】
0004840487.tif 000002
【図２】
0004840487.tif 000003
【図３】
0004840487.tif 000004
【図４】
0004840487.tif 000005
【図５】
0004840487.tif 000006
【図６】
0004840487.tif 000007
【図７】
0004840487.tif 000008
【図８】
0004840487.tif 000009
【図９】
0004840487.tif 000010
【図１０】
0004840487.tif 000011
【図１１】
0004840487.tif 000012